(57)【要約】【課題】スイッチ装置の誤操作を抑制して、加熱部の操作性を高めることができる加熱調理器を提案する。【解決手段】加熱調理器は、被調理物を加熱する加熱部と、加熱部のオン状態とオフ状態とを切替操作するスイッチ装置と、を備える。スイッチ装置は、ベース１２と、ベース１２の外周面の少なくとも一部を覆って位置し、加熱部をオン状態とする位置とオフ状態とする位置との間で、ベース１２の中心軸Ｃ１に沿って移動可能な可動部１３と、を備える。可動部１３は、中心軸Ｃ１周りの第一側への可動部１３の回転を規制する第一規制部１８と、中心軸Ｃ１周りの第二側への可動部１３の回転を規制する第二規制部１９とを有する。【選択図】図４
2019190748.tif 000002
【特許請求の範囲】
【請求項１】
被調理物を加熱する加熱部と、
前記加熱部のオン状態とオフ状態とを切替操作するスイッチ装置と、を備え、
前記スイッチ装置は、
ベースと、
前記ベースの外周面の少なくとも一部を覆って位置し、前記加熱部を前記オン状態とする位置と前記オフ状態とする位置との間で、前記ベースの中心軸に沿って移動可能な可動部と、を備え、
前記可動部は、前記中心軸周りの第一側への前記可動部の回転を規制する第一規制部と、前記中心軸周りの第二側への前記可動部の回転を規制する第二規制部とを有することを特徴とする加熱調理器。
【請求項２】
前記第一規制部は、前記可動部の内周面の周方向に互いに離れて位置する２つの規制部分を含むことを特徴とする請求項１に記載の加熱調理器。
【請求項３】
前記第二規制部は、前記可動部の内周面の周方向に互いに離れて位置する２つの規制部分を含むことを特徴とする請求項２に記載の加熱調理器。
【請求項４】
前記ベースの前記外周面は、前記外周面の周方向に互いに離れて位置する第一突出部と第二突出部とを有し、
前記第一規制部は、前記第一突出部の前記第二側に位置するように前記可動部の内周面から突出した第一規制片と、前記第二突出部の前記第二側に位置するように前記可動部の前記内周面から突出した第二規制片とを含むことを特徴とする請求項１に記載の加熱調理器。
【請求項５】
前記第二規制部は、前記第一突出部の前記第一側に位置するように前記可動部の内周面から突出した第三規制片と、前記第二突出部の前記第一側に位置するように前記可動部の前記内周面から突出した第四規制片とを含むことを特徴とする請求項４に記載の加熱調理器。
【発明の詳細な説明】
【技術分野】
【０００１】
本開示は、加熱調理器に関し、より詳細には、被調理物の加熱を行う加熱部と、加熱部のオン状態とオフ状態とを切替操作するスイッチ装置とを備えた加熱調理器に関する。
【背景技術】
【０００２】
特許文献１に記載のガスコンロは、複数の加熱部（コンロバーナーとグリルバーナー）と、各加熱部を操作するための、円柱状の操作具と設定操作部とを備えている。
【０００３】
ガスコンロの利用者は、操作具を押し操作することで、各加熱部の点火及び消火を行うことができ、操作具を回転操作することで、各加熱部の火力調節を行うことができ、設定操作部を操作することで、各加熱部の他の設定（加熱時間や調理モードの選択）を行うことができる。
【先行技術文献】
【特許文献】
【０００４】
【特許文献１】特開２０１７−３１６６号公報
【発明の概要】
【発明が解決しようとする課題】
【０００５】
ところで、火力調節も設定操作部でまとめて行えるようにし、操作具を回転操作不要とすれば、各加熱部の操作性が高まる。この場合、操作具（つまりスイッチ装置）が回転可能な構造なままでは、利用者が誤って回転操作することがあり、各加熱部の操作性の低下に繋がる。
【０００６】
上記事情に鑑みて、本開示は、スイッチ装置の誤操作を抑制して、加熱部の操作性を高めることができる加熱調理器を提案することを、目的とする。
【課題を解決するための手段】
【０００７】
本開示の一態様に係る加熱調理器は、被調理物を加熱する加熱部と、前記加熱部のオン状態とオフ状態とを切替操作するスイッチ装置と、を備える。前記スイッチ装置は、ベースと、前記ベースの外周面の少なくとも一部を覆って位置し、前記加熱部を前記オン状態とする位置と前記オフ状態とする位置との間で、前記ベースの中心軸に沿って移動可能な可動部と、を備える。前記可動部は、前記中心軸周りの第一側への前記可動部の回転を規制する第一規制部と、前記中心軸周りの第二側への前記可動部の回転を規制する第二規制部とを有する。
【発明の効果】
【０００８】
本開示は、スイッチ装置の誤操作を抑制して、加熱部の操作性を高めることができる加熱調理器を提案することができる。
【図面の簡単な説明】
【０００９】
【図１】図１は、実施形態の加熱調理器の斜視図である。
【図２】図２は、同上の加熱調理器の操作部分の斜視図である。
【図３】図３は、同上の加熱調理器のスイッチ装置の分解斜視図である。
【図４】図４は、スイッチ装置の要部の正面断面図であり、可動部とベースのみ図示した図である。
【図５】図５は、同上のスイッチ装置を示す側断面図である。
【発明を実施するための形態】
【００１０】
（実施形態）
（１）概要
図１及び図２に示すように、本実施形態の加熱調理器１は、被調理物を加熱する加熱部２と、加熱部２のオン状態とオフ状態とを切替操作するスイッチ装置３と、加熱部２の加熱条件を入力する操作部４と、を備える。加熱部２は、本実施形態では、調理庫５に収容された被調理物を加熱する加熱装置である。被調理物は、加熱調理される対象を意味する。被調理物は、食材や、食材を入れた調理容器（鍋やフライパン等）や、水を入れたやかん等である。
【００１１】
以下の説明では、加熱調理器１に対して加熱調理器１を利用する利用者が位置する側を前側とし、その反対側を後側とする。またこの利用者から見た方向を基準にして、左右方向を定義する。
【００１２】
（２）詳細
加熱調理器１は、被調理物を加熱調理する装置である。本実施形態では、加熱調理器１は、グリル付きガスコンロであり、より詳しくは、システムキッチンのワークトップに設置されるドロップインタイプのグリル付きガスコンロである。
【００１３】
加熱調理器１は更に、天板６、筐体７、複数の載置部８、複数の第二加熱部９、複数の第二スイッチ装置１０、複数の第二操作部１１、及び制御部を備える。
【００１４】
（２−１）天板
天板６の上面は、加熱調理器１の上面を構成する。天板６は、上面が強化ガラスで形成されたガラス天板、硬質ホーローの上面にガラスコーティングが施されたホーロー天板、アルミニウム素材で形成されたアルミ天板、ステンレス素材で形成されたステンレス天板等である。
【００１５】
天板６には、調理庫５からの熱を排気する排気孔６０と、第二加熱部９を通すための複数の貫通孔６１とが形成されている。天板６には、排気孔６０を覆う網状の排気カバー６２が取り付けられている。
【００１６】
（２−２）筐体
筐体７は、上面が開口した平面視矩形状の箱体である。筐体７の上面の開口は、天板６によって塞がれている。筐体７には、加熱部２、スイッチ装置３、操作部４、調理庫５、複数の第二加熱部９、複数の第二スイッチ装置１０、複数の第二操作部１１、及び制御部が収容される。
【００１７】
筐体７は、前面を構成する前面パネル７０を備えている。前面パネル７０は、第一パネル７１と、第二パネル７２と、開閉扉７３と、一対の操作扉７４とで構成されている。前面パネル７０は、加熱調理器１をシステムキッチンに設置した状態で、前側に露出する。
【００１８】
第一パネル７１は、前面パネル７０の左側端部の上半部を構成する。第一パネル７１には、左右方向に並んだ複数（２つ）の貫通孔７１０が形成されている。各貫通孔７１０に第二スイッチ装置１０の前端部が通される。
【００１９】
第一パネル７１には、各貫通孔７１０の上側に、複数（５つ）の透光窓７１１が形成されている。複数の透光窓７１１の後側には、複数のランプが一対一に配置されている。各貫通孔７１０の上側の複数の透光窓７１１の点灯パターンによって、対応する第二加熱部９の火力の大小及びオフ状態（消火状態）が表示される。
【００２０】
第二パネル７２は、前面パネル７０の右側端部の上半部を構成する。第二パネル７２には、左右方向に並んだ複数（２つ）の貫通孔７２０が形成されている。２つの貫通孔７２０のうち、右側の貫通孔７２０には、第二スイッチ装置１０の前端部が通され、左側の貫通孔７２０にはスイッチ装置３の前端部が通される。
【００２１】
第二パネル７２には、右側の貫通孔７２０の上側に、複数（５つ）の透光窓７２１が形成され、左側の貫通孔７２０の上側に、１つの透光窓７２２が形成されている。複数の透光窓７２１及び１つの透光窓７２２の後側には、複数のランプが一対一に配置されている。右側の貫通孔７２０の上側の複数の透光窓７２１の点灯パターンによって、対応する第二加熱部９の火力の大小及びオフ状態（消火状態）が表示される。左側の貫通孔７２０の上側の１つの透光窓７２２の点灯パターンによって、加熱部２のオン状態及びオフ状態が表示される。加熱部２がオン状態にあるとき、透光窓７２２が点灯し、加熱部２がオフ状態にあるとき、透光窓７２２が消灯する。
【００２２】
開閉扉７３は、調理庫５の前開口５０を開閉する扉である。開閉扉７３は、前面パネル７０の左右方向の中央部を構成している。開閉扉７３は、調理庫５の前開口５０を開く開位置と、調理庫５の前開口５０を閉じる閉位置との間で、前後に移動可能である。
【００２３】
開閉扉７３の下端部には取っ手７３０が形成されており、取っ手７３０よりも上側の部分に、透過窓７３１が形成されている。取っ手７３０は、透過窓７３１よりも前側に突出している。閉位置にあるときの透過窓７３１の前面は、第一パネル７１の前面と第二パネル７２の前面に対して面一に位置する。
【００２４】
一対の操作扉７４のそれぞれは、操作部４と第二操作部１１のうち少なくとも一方が設けられた扉体である。各操作扉７４は、矩形板状である。本実施形態では、一対の操作扉７４のうち、左側の操作扉７４は、第一パネル７１の下方に配置され、右側の操作扉７４は、第二パネル７２の下方に配置されている。
【００２５】
一対の操作扉７４の各々は、下端部に左右方向に延びた軸を有しており、この軸回りに回転可能である。各操作扉７４は、下端部の軸を中心に回転することで、操作扉７４の前面が鉛直方向に沿う閉位置（図１参照）と、操作扉７４の前面が後下がりに傾斜する開位置（図２参照）との間で、移動可能である。
【００２６】
各操作扉７４には、上面に操作面７５０を有するスイッチユニット７５が連結されている。操作面７５０には、スイッチ群７５１が配置されている。スイッチ群７５１の各スイッチが押し操作されると、その操作に応じた電気信号が制御部に出力される。操作面７５０は、操作扉７４を開くとパネル７１，７２よりも前側に位置して露出し、操作扉７４を閉じると筐体７内に収容される。
【００２７】
本実施形態では、右側の操作扉７４に連結されたスイッチユニット７５のスイッチ群７５１が、操作部４と第二操作部１１とを構成している。図示していないが、左側の操作扉７４に連結されたスイッチユニット７５のスイッチ群７５１が、２つの第二操作部１１を構成している。
【００２８】
右側の操作扉７４に連結されたスイッチユニット７５のスイッチ群７５１の左半部が、操作部４を構成し、このスイッチ群７５１の右半部が、第二操作部１１を構成している。操作部４を構成するスイッチ群７５１の左半部は、火力調節を行うスイッチと、自動調理モードを選択するスイッチと、加熱時間を設定するスイッチ等を含む。第二操作部１１を構成するスイッチ群７５１の右半部は、自動調理モードを選択するスイッチと、加熱時間を設定するスイッチ等を含み、火力調節を行うスイッチを含まない。
【００２９】
閉位置にあるときの一対の操作扉７４の前面は、第一パネル７１の前面と第二パネル７２の前面に対して面一に位置する。
【００３０】
（２−３）載置部
図１に示すように、複数の載置部８のそれぞれは、被調理物が載る部分である。本実施形態では、各載置部８は、五徳である。各五徳は、天板６の各貫通孔６１を一対一に囲むように、天板６の上面に設置されている。
【００３１】
（２−４）第二加熱部
複数の第二加熱部９のそれぞれは、対応する載置部８に載った被調理物を加熱する装置である。複数の第二加熱部９のそれぞれは、本実施形態では、都市ガス又はプロパンガス等のガスを熱源とするブンゼンバーナーからなる、こんろバーナーである。各第二加熱部９の上端部は、天板６の貫通孔６１を通じて、天板６から上側に突出している。各第二加熱部９の上端部には、平面視環状に並んだ複数の炎口が形成されている。
【００３２】
（２−５）制御部
制御部は、加熱調理器１の自動調理、自動火力調整、加熱部２，９のオンオフ切替等の、加熱調理器１の各動作を制御する。制御部は、スイッチ装置３，１０、及び操作部４，１１に電気的に接続されており、受け取った信号に応じた動作を加熱部２，９に実行させる。制御部は、マイクロプロセッサを主構成要素とするマイコンで構成される。
【００３３】
（２−６）調理庫
調理庫５内には、被調理物が収容される。調理庫５は、本実施形態では、焼き網等を使用したグリル調理を行うためのグリル庫である。調理庫５は、筐体７内に位置している。調理庫５の内部は、天板６の排気孔６０に通じており、調理庫５内の調理によって生じた排気は、排気孔６０を通じて排出される。
【００３４】
（２−７）加熱部
加熱部２は、本実施形態では、調理庫５に設けられたグリルバーナーである。グリルバーナーは、都市ガス又はプロパンガス等のガスを熱源とするブンゼンバーナーである。グリルバーナーは、例えば、調理庫５の上部に位置して被調理物を上から加熱する上バーナーと、調理庫５の下部に位置して被調理物を下から加熱する下バーナーとを備える。
【００３５】
（２−８）スイッチ装置
スイッチ装置３は、加熱部２のオン状態とオフ状態とを切替操作する装置である。スイッチ装置３は、加熱部２のオン状態とオフ状態の切替が機械的に可能な、いわゆるメカニカルバルブで構成される。図５に示すように、スイッチ装置３は、樹脂製の前部分３０と、アルミニウム等の金属製の後部分３１とで構成される。後部分３１は、前部分３０に対してねじ等の固定具で固定されている。後部分３１は、内側にガスが流れる流路を有する。
【００３６】
利用者は、スイッチ装置３の一部を後側へ押し操作することで、加熱部２のオン状態とオフ状態とを切替えることができる。スイッチ装置３は、回転操作不可である。
【００３７】
図３、図４、及び図５に示すように、スイッチ装置３は、筒状のベース１２と、ベース１２の外周面の少なくとも一部を覆って位置し、ベース１２の中心軸Ｃ１に沿って移動可能な可動部１３とを備える。スイッチ装置３は更に、ベース１２の内側に位置するスライド部材１４と、スライド部材１４の前端部に取り付けられる抜け止め部材１５と、可動部１３及び抜け止め部材１５の前端部に取り付けられるキャップ１６と、ベース１２の外周面の一部に取り付けられる支持部材１７を備える。
【００３８】
図４等に示すように、ベース１２は、前後方向に直交する断面形状がＵ字状の上部分１２０と、前後方向に直交する断面形状が直線状の下部分１２１とで構成される。ベース１２は、筐体７に対して固定される。
【００３９】
ベース１２の上部分１２０の外周面は、その周方向に互いに離れて位置する第一突出部１２２と第二突出部１２３とを有する。第一突出部１２２は、上部分１２０の外周面から右側に突出しており、第二突出部１２３は、上部分１２０の外周面から左側に突出している。第一突出部１２２と第二突出部１２３は、上下方向の位置が互いに同じであり、互いに逆向きに突出している。
【００４０】
突出部１２２，１２３のそれぞれは、前後方向に直交する断面形状が四角形状（詳しくは台形状）の部分１２４と、前後方向に直交する断面形状が三角形状の部分１２５とで構成されている。図３に示すように、部分１２４は、前後方向を長手方向とする突条片であり、部分１２５は、部分１２４の前端部と一体の突出片である。部分１２５は、部分１２４よりも前後方向の長さが短い。図４に示すように、部分１２５の突出先端部は、部分１２４よりも左右方向外側に位置している。
【００４１】
図３に示すように、可動部１３は、半円筒状のカバー部１３０と、カバー部１３０の前端と一体の円筒状の取付部１３１とで構成される。可動部１３は、カバー部１３０が、ベース１２の上部分１２０の外周面を覆うように配置され、取付部１３１がベース１２よりも前側に配置される。
【００４２】
取付部１３１は、スライド部材１４の前端部の外周面に嵌まることで、スライド部材１４に取り付けられる。取付部１３１の外周面に、キャップ１６が取り付けられる。取付部１３１の外周面には、キャップ１６の取り付けに用いられる複数の窪み１３２が形成されている。
【００４３】
カバー部１３０は、前後方向にわたって断面形状が一定である。図４に示すように、可動部１３は、ベース１２の中心軸Ｃ１周りの第一側への可動部１３の回転を規制する第一規制部１８と、ベース１２の中心軸Ｃ１周りの第二側への可動部１３の回転を規制する第二規制部１９とを有する。第一側と第二側は、互いに反対の向きである。以下では、第一側を時計回りの向きとし、第二側を反時計回りの向きとして、各構成について説明する。
【００４４】
第一規制部１８は、可動部１３の内周面の周方向に互いに離れて位置する２つの規制部分を含む。詳しくは、第一規制部１８は、ベース１２の第一突出部１２２の第二側に位置するように可動部１３の内周面から突出した第一規制片１８０と、第二突出部１２３の第二側に位置するように可動部１３の内周面から突出した第二規制片１８１と、を含む。２つの規制部分とは、第一規制片１８０と第二規制片１８１である。
【００４５】
第二規制部１９は、可動部１３の内周面の周方向に互いに離れて位置する２つの規制部分を含む。詳しくは、第二規制部１９は、ベース１２の第一突出部１２２の第一側に位置するように可動部１３の内周面から突出した第三規制片１９０と、第二突出部１２３の第一側に位置するように可動部１３の内周面から突出した第四規制片１９１と、を含む。２つの規制部分とは、第三規制片１９０と第四規制片１９１である。
【００４６】
第一規制片１８０は、カバー部１３０の第一側の端部から、第一突出部１２２の上側に位置するように、左側に突出した片である。第一規制片１８０は、第一突出部１２２の部分１２４の上側を向く上面１２４０に沿っている。
【００４７】
第二規制片１８１は、カバー部１３０の第二側の端縁から、第二突出部１２３の下側に位置するように、右側に突出した片である。第二規制片１８１は、第二突出部１２３の部分１２５の下側を向く下面１２５０に沿っている。詳しくは、第二規制片１８１は、この下面１２５０に対して平行である。
【００４８】
第三規制片１９０は、カバー部１３０の第一側の端縁から、第一突出部１２２の下側に位置するように、左側に突出した片である。第三規制片１９０は、第一突出部１２２の部分１２５の下側を向く下面１２５０に沿っている。詳しくは、第三規制片１９０は、下面１２５０に対して平行である。第三規制片１９０と第一規制片１８０とは、互いに平行である。第三規制片１９０は、第一規制片１８０よりも第一側に位置する。
【００４９】
第四規制片１９１は、カバー部１３０の第二側の端部から、第二突出部１２３の上側に位置するように、右側に突出した片である。第四規制片１９１は、第二突出部１２３の部分１２４の上側を向く上面１２４０に沿っている。第四規制片１９１は、第二規制片１８１に対して平行である。第四規制片１９１は、第二規制片１８１よりも第一側に位置する。
【００５０】
カバー部１３０は、第三規制片１９０と第一規制片１８０との間の、第一突出部１２２を覆う部分が、第一突出部１２２に沿った形状となっている。カバー部１３０は、第一突出部１２２の部分１２５の上側を向く上面１２５１に沿う部分１３３を含む。
【００５１】
カバー部１３０は、第四規制片１９１と第二規制片１８１との間の、第二突出部１２３を覆う部分が、第二突出部１２３に沿った形状となっている。カバー部１３０は、第二突出部１２３の部分１２５の上側を向く上面１２５１に沿う部分１３４を含む。
【００５２】
図５に示すスライド部材１４は、ベース１２の中心軸Ｃ１に沿って前後方向に移動する。スライド部材１４は、コイルばね等の弾性体１４０によって前側に向けて力を受けている。スライド部材１４は、第一位置と、第一位置よりも前側の第二位置との間で移動する。スライド部材１４は、第一位置と第二位置のそれぞれの位置にあるときに、ベース１２に対して保持される。
【００５３】
第一位置にあるスライド部材１４は、後側に押されることで保持状態が解除され、弾性体１４０から受ける力によって第二位置に移動する。第二位置にあるスライド部材１４は、後側に押されて第一位置まで移動することで保持される。本実施形態では、スライド部材１４が第一位置にある状態が、加熱部２のオフ状態に対応し、スライド部材１４が第二位置にある状態が、加熱部２のオン状態に対応する。
【００５４】
スライド部材１４の前端部の外周面側には、可動部１３の取付部１３１が取り付けられる。スライド部材１４の前端部の内周面側には、抜け止め部材１５が取り付けられる。可動部１３及び抜け止め部材１５は、スライド部材１４と一体に前後方向に移動する。
【００５５】
スライド部材１４の後側には、第二スライド部材１４１、コイルばね等の第二弾性体１４２、開閉弁１４３が連結されたロッド１４４が配置されている。スライド部材１４に押されて、第二スライド部材１４１及びロッド１４４が前後に移動することによって、ロッド１４４と一体の開閉弁１４３が、スイッチ装置３の後部分３１内のガス流路の開閉を切り替える。
【００５６】
抜け止め部材１５は、可動部１３の取付部１３１が取り付けられた状態のスライド部材１４の前端部の内側に取り付けられる。これにより、可動部１３の取付部１３１が、スライド部材１４の前端部から外れることが抑えられる。
【００５７】
図３及び図５に示すキャップ１６は、底を有する筒状である。キャップ１６は、円筒状の部分１６０と、部分１６０の前端の開口を塞ぐ円板状の部分１６１とを有する。部分１６０の後端部からは、複数の取付片１６２が後側に突出している。複数の取付片１６２は、部分１６０の周方向に間隔をあけて位置する。部分１６０の外周面は、平滑な面である。
【００５８】
キャップ１６は、複数の取付片１６２を可動部１３の取付部１３１の複数の窪み１３２に一対一に取り付けることで、可動部１３に対して前後方向及び回転方向の移動が不可な状態で、可動部１３に固定される。
【００５９】
スライド部材１４が第二位置にあるときに、キャップ１６は、第二パネル７２から前側に突出する（図２参照）。このとき、可動部１３は、加熱部２をオン状態とする位置（オン位置）に位置する。スライド部材１４が第一位置にあるときに、キャップ１６は、その前面が、第二パネル７２の前面に対して略面一に位置する（図１参照）。このとき、可動部１３は、加熱部２をオフ状態とする位置（オフ位置）に位置する。
【００６０】
支持部材１７は、ベース１２の上部分１２０の外周面の一部に取り付けられる。支持部材１７は、ベース１２と可動部１３のカバー部１３０との間に配される支持部１７０を有する。支持部１７０は、前後方向を長手方向とする部材であり、前後方向に直交する断面形状が、略円弧状である。支持部１７０の周方向の長さは、カバー部１３０の周方向の長さよりも短い。支持部１７０の外周面は、カバー部１３０の内周面に接する。カバー部１３０は、支持部材１７の支持部１７０によって支持されることによって、ベース１２に対する位置が安定する。
【００６１】
（２−９）第二スイッチ装置
複数の第二スイッチ装置１０のそれぞれは、対応する第二加熱部９のオン状態とオフ状態との切替操作が可能で、かつオン状態の第二加熱部９の火力調節の操作が可能なスイッチである。複数の第二スイッチ装置１０のそれぞれは、複数の第二加熱部９に対して一対一に対応している。複数の第二スイッチ装置１０のそれぞれは、本実施形態では、対応する第二加熱部９のオン状態とオフ状態の切替及び流量の調整が機械的に可能な、いわゆるメカニカルバルブで構成される。複数の第二スイッチ装置１０は、互いに同じ構造である。
【００６２】
第二スイッチ装置１０は、上述したスイッチ装置３と共通の構成を備える。以下では、スイッチ装置３と異なる構成について説明する。
【００６３】
第二スイッチ装置１０では、可動部２０及びキャップ２１が、スイッチ装置３の可動部１３及びキャップ１６とは、構造が異なる。
【００６４】
可動部２０は、前後方向に移動可能であり、かつ中心軸Ｃ１周りに回転可能である。可動部２０は、ベース１２の上部分１２０の外周面の一部を覆うカバー部２００と、カバー部２００の前端と一体の取付部２０１とで構成される。カバー部２００は、ベース１２の中心軸Ｃ１周りの回転を規制する規制部を有していない。可動部２０は、取付部２０１がスライド部材１４の前端部に回転可能に取り付けられる。
【００６５】
カバー部２００は、第一位置にあるときの可動部２０の回転方向の位置を所定位置へガイドする左右一対のガイド面２０２を有する。左右一対のガイド面２０２のそれぞれは、後上がりに傾斜した傾斜面である。利用者によって押し操作されて可動部２０がオン状態の位置からオフ状態の位置へ移動するときに、右側のガイド面２０２に第一突出部１２２が当たることで、可動部２０は第二側へ回転される。あるいは、利用者によって押し操作されて可動部２０がオン状態の位置からオフ状態の位置へ移動するときに、左側のガイド面２０２に第二突出部１２３が当たることで、可動部２０は第一側へ回転される。これにより、第一位置にあるときの可動部２０の回転方向の位置が、あらかじめ設計された１つの所定位置（例えば火力が中火に調節された位置）に定まる。
【００６６】
キャップ２１は、円筒状の部分２１０と、部分２１０の前端の開口を塞ぐ円板状の部分２１１とを有する。部分２１１の後端部からは、複数の取付片２１２が後側に突出している。複数の取付片２１２は、部分２１１の周方向に間隔をあけて位置する。複数の取付片２１２と、キャップ１６の複数の取付片１６２とは、周方向の長さが互いに異なる。そのため、キャップ２１は、スイッチ装置３の可動部１３に対して取付不可である。
【００６７】
部分２１０の外周面には、滑り止め部２１３が形成されている。滑り止め部２１３は、キャップ２１を利用者が摘み操作をする際に滑り止めになる部分である。滑り止め部２１３は、本実施形態では、複数の凹部で構成される。各凹部は、前後方向に延びている。複数の凹部は、部分２１０の周方向に並んでいる。なお、滑り止め部２１３は、複数の凹部に限らず、前後方向に延びた複数の凸部で構成されてもよいし、単数の凹部又は凸部であってもよい。また、滑り止め部２１３は、部分２１０の外周面にシボ加工を施すことで形成してもよい。
【００６８】
（３）加熱調理器の利用方法
以上説明した本実施形態の加熱調理器１では、スイッチ装置３のオフ位置にあるキャップ１６（図１参照）の前面を、利用者が後側へ押し操作すると、キャップ１６が、第二パネル７２から前側へ突出するオン位置（図２参照）へと移動する。
【００６９】
キャップ１６がオン位置にある状態で、加熱部２はオン状態となり、加熱部２が点火される。この状態で、透光窓７２２が発光し、加熱部２がオン状態にあることが表示される。加熱部２の火力調節は、右側の操作扉７４を開いて、スイッチ群７５１のうちの火力調節用のスイッチを押し操作することで、行うことができる。
【００７０】
キャップ１６がオン位置にある状態で、利用者がキャップ１６を回転操作しようとした場合、可動部１３の４つの規制片１８０，１８１，１９０，１９１のうち少なくとも１つが、ベース１２の対応する突出部１２２，１２３に引っ掛かることで、回転が規制される。これにより、本実施形態の加熱調理器１では、利用者がスイッチ装置３のキャップ１６を誤って回転操作することを、抑制することができる。
【００７１】
オン位置にあるキャップ１６の前面を、利用者が後側へ押し操作すると、キャップ１６が、オフ位置へと移動する。これにより、加熱部２はオフ状態となり、加熱部２が消火される。
【００７２】
また、各第二加熱部９のオン状態とオフ状態とを切替操作する場合には、以下のように第二スイッチ装置１０を操作する。
【００７３】
対応する第二スイッチ装置１０のオフ位置にあるキャップ２１の前面（図１参照）を、利用者が後側へ押し操作すると、キャップ２１が、第二パネル７２から前側へ突出するオン位置（図２参照）へと移動する。
【００７４】
キャップ２１がオン位置にある状態で、対応する第二加熱部９はオン状態となり、第二加熱部９が点火される。この状態で、複数の透光窓７２１がパターン発光し、第二加熱部９がオン状態（点火状態）にあることが表示される。複数の透光窓７２１は、例えば、左３つが点灯することで、第二加熱部９が中火状態にあることを表示する。対応する第二加熱部９の火力調節は、キャップ２１を回転操作することで、行うことができる。また、対応する操作扉７４を開いて、スイッチ群７５１のうちの各種のスイッチを押し操作することで、加熱時間の選択や、調理モードの選択等を行うことができる。
【００７５】
オン位置にあるキャップ２１の前面を、利用者が後側へ押し操作すると、キャップ２１が、オフ位置へと移動する。これにより、対応する第二加熱部９はオフ状態となり、第二加熱部９が消火される。
【００７６】
ここで、オン位置にあるキャップ２１が回転操作されて、初期位置よりも第一側に回転した位置（つまり弱火位置）や、初期位置よりも第二側へ回転した位置（つまり強火位置）にある場合、オン位置にあるキャップ２１の前面を、後側へ押し操作すると、左右一対のガイド面２０２の一方が左右の突出部１２２，１２３の一方に当たることで、キャップ２１が回転されて、初期位置へと戻される。
【００７７】
（変形例）
続いて、上述した実施形態の加熱調理器１の変形例について説明する。
【００７８】
加熱部２は、被調理物を加熱する装置であればよく、グリルバーナーに限らず、コンロバーナー、電気こんろ、電磁調理器（ＩＨ調理器）等であってもよい。
【００７９】
第一規制部１８は、規制片１８０，１８１の組み合わせに限らず、規制片１８０，１８１の一方だけで構成されてもよい。
【００８０】
第二規制部１９は、規制片１９０，１９１の組み合わせに限らず、規制片１９０，１９１の一方だけで構成されてもよい。
【００８１】
また、ベース１２が備える突出部の数は、２つに限らず、１つまたは３つ以上であってもよく、この場合、可動部１３は、規制部１８，１９を突出部の数と同数だけ備えてもよい。
【００８２】
また、規制部１８，１９は、可動部１３の内周面からベース１２に向けて突出した片（規制片１８０，１８１，１９０，１９１）に限定されず、可動部１３の内周面に形成された少なくとも１つの凹部で構成されてもよい。この場合、ベース１２の外周面には、可動部１３の凹部に挿入されるように突出した突出部が設けられる。可動部１３の少なくとも１つの凹部は、その内側の面のうちの第二側を向く面が、第一規制部１８を構成し、その内側の面のうち第一側を向く面が、第二規制部１９を構成する。
【００８３】
また、ベース１２は、突出部１２２，１２３の代わりに、ベース１２の内周面に形成された２つの凹部を有してもよく、この場合、可動部１３は、ベース１２の２つの凹部に挿入される２つの突出部を有する。２つの突出部のそれぞれが、規制部１８，１９を構成する。また、２つの突出部のそれぞれは、複数の突出片で構成されてもよい。
【００８４】
また、可動部１３の規制部１８，１９は、中心軸Ｃ１周りの可動部１３の回転を規制するものであればよく、ベース１２とは別の部材に引っ掛かることで、回転を規制するものであってもよい。
【００８５】
また、中心軸Ｃ１周りの第一側と第二側とは、互いに逆向きであればよく、第二側が時計回りの向きであり、第一側が反時計回りの向きであってもよい。
【００８６】
第二スイッチ装置１０は、スイッチ装置３と同じ構成であってもよく、各第二加熱部９のオン状態とオフ状態とを切替え操作でき、かつ火力調節のための操作が不可であってもよい。この場合、第二加熱部９の加熱調節は、第二操作部１１で行えるようにすればよい。
【００８７】
加熱調理器１は、テーブル上に置く卓上タイプの加熱調理器であってもよい。
【００８８】
載置部８は、五徳に限定されない。例えば、第二加熱部９が電気こんろである場合、載置部８は、電気ヒーターの上面である。また、第二加熱部９が電磁調理器である場合、載置部８は、天板６の上面のうち加熱される調理器具が載せられる部分である。
【００８９】
第二加熱部９は、電気こんろの場合、電力の供給を受けて発熱するニクロム線又はシースヒータ等で構成される。また、第二加熱部９は、電磁調理器の場合、電力の供給を受けて磁界を発生する電磁コイルで構成される。
【００９０】
調理庫５は、グリル庫に限らず、オーブン調理を行うためのオーブン庫、高周波の電磁波を被調理物に当てて加熱するレンジ庫、炊飯庫等であってもよい。
【００９１】
スイッチ群７５１の各スイッチは、メンブレンスイッチに限らず、静電スイッチ，タクタイルスイッチ，又は押しボタンスイッチ等であってもよい。
【００９２】
また、スイッチ装置３は、支持部材１７を備えなくてもよい。
【００９３】
（まとめ）
以上説明した実施形態及びその変形例の加熱調理器１のように、第一態様の加熱調理器１は、下記の構成を備える。
【００９４】
すなわち、第一態様の加熱調理器１は、被調理物を加熱する加熱部２と、加熱部２のオン状態とオフ状態とを切替操作するスイッチ装置３と、を備える。スイッチ装置３は、ベース１２と、ベース１２の外周面の少なくとも一部を覆って位置し、加熱部２を前記オン状態とする位置と前記オフ状態とする位置との間で、ベース１２の中心軸Ｃ１に沿って移動可能な可動部１３と、を備える。可動部１３は、中心軸Ｃ１周りの第一側への可動部１３の回転を規制する第一規制部１８と、中心軸Ｃ１周りの第二側への可動部１３の回転を規制する第二規制部１９とを有する。
【００９５】
上記構成を備えることで、第一態様の加熱調理器１では、加熱部２のオン状態とオフ状態とを切替操作するスイッチ装置３の可動部１３を、利用者が回転操作しようとしたときに、可動部１３が回転することを規制部１８，１９によって規制することができる。そのため、第一態様の加熱調理器１では、スイッチ装置３の誤操作を抑制して、加熱部２の操作性を高めることができる。
【００９６】
また、上述した実施形態及びその変形例の加熱調理器１のように、第二態様の加熱調理器１は、第一態様の加熱調理器１の構成に加えて、下記の構成を付加的に備える。
【００９７】
すなわち、第二態様の加熱調理器１は、第一規制部１８は、可動部１３の内周面の周方向に互いに離れて位置する２つの規制部分を含む。
【００９８】
上記構成を備えることで、第二態様の加熱調理器１では、周方向に離れた２つの規制部分によって、可動部１３がベース１２の中心軸Ｃ１周りの一方の側（第一側）へ回転することをより確実に規制することができる。
【００９９】
また、上述した実施形態及びその変形例の加熱調理器１のように、第三態様の加熱調理器１は、第二態様の加熱調理器１の構成に加えて、下記の構成を付加的に備える。
【０１００】
すなわち、第三態様の加熱調理器１は、第二規制部１９は、可動部１３の内周面の周方向に互いに離れて位置する２つの規制部分を含む。
【０１０１】
上記構成を備えることで、第三態様の加熱調理器１では、周方向に離れた２つの規制部分によって、可動部１３がベース１２の中心軸Ｃ１周りの第二側へ回転することをより確実に規制することができ、中心軸Ｃ１周りの第一側と第二側の両側への回転をより確実に規制することができる。
【０１０２】
また、上述した実施形態及びその変形例の加熱調理器１のように、第四態様の加熱調理器１は、第一態様の加熱調理器１の構成に加えて、下記の構成を付加的に備える。
【０１０３】
すなわち、第四態様の加熱調理器１は、ベース１２の外周面は、外周面の周方向に互いに離れて位置する第一突出部１２２と第二突出部１２３とを有する。第一規制部１８は、第一突出部１２２の第二側に位置するように可動部１３の内周面から突出した第一規制片１８０と、第二突出部１２３の第二側に位置するように可動部１３の内周面から突出した第二規制片１８１とを含む。
【０１０４】
上記構成を備えることで、第四態様の加熱調理器１では、ベース１２の外周面から突出した２つの突出部１２２，１２３に対して、可動部１３の内周面から突出した２つの規制片１８０，１８１を引っ掛けることで可動部１３の一方の側（第一側）への回転を規制することができ、可動部１３を一方の側（第一側）へ回転不可とする構造を、簡単な構造で実現することができる。
【０１０５】
また、上述した実施形態及びその変形例の加熱調理器１のように、第五態様の加熱調理器１は、第四態様の加熱調理器１の構成に加えて、下記の構成を付加的に備える。
【０１０６】
すなわち、第五態様の加熱調理器１では、第二規制部１９は、第一突出部１２２の第一側に位置するように可動部１３の内周面から突出した第三規制片１９０と、第二突出部１２３の第一側に位置するように可動部１３の内周面から突出した第四規制片１９１とを含む。
【０１０７】
上記構成を備えることで、第四態様の加熱調理器１では、ベース１２の外周面から突出した２つの突出部１２２，１２３に対して、可動部１３の内周面から突出した４つの規制片１８０，１８１，１９０，１９１を引っ掛けることで可動部１３の第一側と第二側の両側への回転を規制することができ、可動部１３を回転不可とする構造を、簡単な構造で実現することができる。
【０１０８】
以上、本開示を添付図面に示す実施形態に基づいて説明したが、本開示は上記の実施形態に限定されるものではなく、本開示の意図する範囲内であれば、適宜の設計変更が可能である。
【符号の説明】
【０１０９】
１        加熱調理器
２        加熱部
３        スイッチ装置
１２      ベース
１２２    第一突出部
１２３    第二突出部
１３      可動部
１８      第一規制部
１８０    第一規制片
１８１    第二規制片
１９      第二規制部
１９０    第三規制片
１９１    第四規制片
Ｃ１      中心軸
【図１】
2019190748.tif 000003
【図２】
2019190748.tif 000004
【図３】
2019190748.tif 000005
【図４】
2019190748.tif 000006
【図５】
2019190748.tif 000007